(57)【特許請求の範囲】
【請求項１】
複数のサブコネクタと、内部が隔壁によって前記各サブコネクタを収容可能な複数の収容室に区画されたフレームとからなるコネクタであって、
前記各サブコネクタのコネクタハウジングは端子金具を挿入可能な複数のキャビティが形成され、前記キャビティ内には前記端子金具を弾性的に係止するためのランスが形成され、かつ前記キャビティは前記ランスの撓み方向に並んで配されており、前記コネクタハウジングのうち前記ランスの撓み方向と交差する方向の側面には、前記各キャビティに連通する深さを有するリテーナ収容孔が開口され、このリテーナ収容孔内にはリテーナが収容されるようになっており、前記リテーナには前記リテーナ収容孔内に収容された状態で前記端子金具と係止する係止突部が設けられており、
前記リテーナは、前記リテーナ収容孔の開口縁部にヒンジを介して前記コネクタハウジングと一体に形成される一方、
前記フレームの前記収容室は前記各サブコネクタの前記キャビティの並び方向と交差する方向に複数形成され、
かつ前記サブコネクタのうち前記ランスの撓み方向の側面には、前記サブコネクタにおける前記収容室への挿入方向前端部に、前記ランスの撓み方向外方に突出すると共に、前記収容室の天井壁に形成されたハウジングロック部と係合する受け部が形成されており、
前記サブコネクタのうち前記受け部が形成された側面には、前記サブコネクタの前記収容室への挿入方向の後端部に、前記受け部に対して、前記サブコネクタの前記収容室への挿入方向と交差する方向にずれた位置でかつサブコネクタから前記収容室の並び方向外方へ張り出しつつ前記受け部と同方向へ突出する指掛け部が形成されており、
前記指掛け部は、前記サブコネクタが前記収容室内に正規挿入された状態で、前記隔壁に対して前記サブコネクタの前記収容室への挿入方向後方の位置に配されることを特徴とするコネクタ。
【請求項２】
前記サブコネクタのコネクタハウジングのうち前記リテーナ収容孔が開口された側面と反対側の側面には案内溝が凹み形成される一方、前記隔壁には前記案内溝に嵌合して前記サブコネクタを前記収容室内へ案内するリブが形成されていることを特徴とする請求項１に記載のコネクタ。
【発明の詳細な説明】
【技術分野】
【０００１】
本発明は、コネクタに関する。
【背景技術】
【０００２】
従来より、コネクタとして特許文献１に記載のものが知られている。このものは、端子金具を挿入可能なキャビティが形成されたコネクタハウジングを備えてなる。このキャビティ内には端子金具と弾性的に係止して抜け止めをするためのランスが形成されている。また、キャビティのうちランスが形成された壁面と対向する壁面にはコネクタハウジングの外面と連通するリテーナ収容孔が形成されている。このリテーナ収容孔内にはリテーナが収容可能になっており、リテーナがリテーナ収容孔内に収容された状態では、端子金具はランス及びリテーナにより二重係止されるようになっている。このリテーナは、リテーナ収容孔の開口縁部にヒンジを介してコネクタハウジングと一体に形成されており、ヒンジを支点として回動可能になっている。これにより、リテーナを別体に形成する場合に比べて部品点数を削減できる。このコネクタにおいては、リテーナはランスの撓み方向からリテーナ収容構内に収容されるようになっている。
【特許文献１】特開２００１−３３２３３２公報
【発明の開示】
【発明が解決しようとする課題】
【０００３】
この種のコネクタにおいては、例えば、ランスの撓み方向にキャビティを並設する場合がある。この構成のコネクタに対して、上記したヒンジにより回動するリテーナを適用すると、リテーナはランスの撓み方向、すなわちキャビティの並び方向からリテーナ収容孔内に収容されることになる。
【０００４】
しかしながら、ヒンジを有するリテーナはヒンジを支点とした回動動作によりリテーナ収容孔内に収容されるので、リテーナ収容孔の開口縁部とリテーナの端縁部とが引っ掛からないようにするため、リテーナは、ランスの撓み方向と交差する方向（キャビティの並び方向と交差する方向）から見て、リテーナ収容孔のうちヒンジが形成された側の開口縁部と、ヒンジが形成された側と対向する開口縁部との間の長さ寸法を半径とする略扇形をなしている。
【０００５】
このため、リテーナがリテーナ収容孔内に収容された状態では、各キャビティ内におけるリテーナの位置は、略扇形をなすリテーナの形状に従って、並設された各キャビティ段毎に徐々に変化してしまうのである。この結果、端子金具におけるリテーナとの被係止部を、各キャビティ段に挿入される端子金具毎に異なる位置に形成しなければならず、現実的でない。
【０００６】
本発明は上記のような事情に基づいて完成されたものであって、ランスの撓み方向にキャビティが並設され、且つ、ヒンジを有するリテーナを適用可能なコネクタを提供することを目的とする。
【課題を解決するための手段】
【０００７】
上記の目的を達成するための手段として、請求項１の発明は、複数のサブコネクタと、内部が隔壁によって前記各サブコネクタを収容可能な複数の収容室に区画されたフレームとからなるコネクタであって、前記各サブコネクタのコネクタハウジングは端子金具を挿入可能な複数のキャビティが形成され、前記キャビティ内には前記端子金具を弾性的に係止するためのランスが形成され、かつ前記キャビティは前記ランスの撓み方向に並んで配されており、前記コネクタハウジングのうち前記ランスの撓み方向と交差する方向の側面には、前記各キャビティに連通する深さを有するリテーナ収容孔が開口され、このリテーナ収容孔内にはリテーナが収容されるようになっており、前記リテーナには前記リテーナ収容孔内に収容された状態で前記端子金具と係止する係止突部が設けられており、前記リテーナは、前記リテーナ収容孔の開口縁部にヒンジを介して前記コネクタハウジングと一体に形成される一方、前記フレームの前記収容室は前記各サブコネクタの前記キャビティの並び方向と交差する方向に複数形成され、かつ前記サブコネクタのうち前記ランスの撓み方向の側面には、前記サブコネクタにおける前記収容室への挿入方向前端部に、前記ランスの撓み方向外方に突出すると共に、前記収容室の天井壁に形成されたハウジングロック部と係合する受け部が形成されており、前記サブコネクタのうち前記受け部が形成された側面には、前記サブコネクタの前記収容室への挿入方向の後端部に、前記受け部に対して、前記サブコネクタの前記収容室への挿入方向と交差する方向にずれた位置でかつサブコネクタから前記収容室の並び方向外方へ張り出しつつ前記受け部と同方向へ突出する指掛け部が形成されており、前記指掛け部は、前記サブコネクタが前記収容室内に正規挿入された状態で、前記隔壁に対して前記サブコネクタの前記収容室への挿入方向後方の位置に配されることを特徴とする。
【０００８】
請求項２の発明は、請求項１に記載のものにおいて、前記サブコネクタのコネクタハウジングのうち前記リテーナ収容孔が開口された側面と反対側の側面には案内溝が凹み形成される一方、前記隔壁には前記案内溝に嵌合して前記サブコネクタを前記収容室内へ案内するリブが形成されていることを特徴とする。
【発明の効果】
【００１２】
＜請求項１の発明＞
請求項１の発明によれば、リテーナは、ランスの撓み方向と交差する方向の側面に形成されたリテーナ収容孔の開口縁部に、ヒンジを介してサブコネクタのコネクタハウジングと一体に形成されている。これにより、リテーナはコネクタハウジングに対して、ランスの撓み方向と交差する方向から組み付けられる。そして、各キャビティはランスの撓み方向に並んで配されているから、リテーナがリテーナ収容孔内に収容された状態では、リテーナは、ランスの撓み方向（キャビティの並び方向）から見て、各段のキャビティ内の略同じ位置に配されることになる。この結果、各段のキャビティに収容される端子金具毎に、リテーナと係止する部位の位置を揃えることができる。これにより、ランスの撓み方向に並設されたキャビティを有するサブコネクタに対してヒンジを備えたリテーナを適用できる。
また、サブコネクタに設けられた指掛け部は、受け部に対して、サブコネクタの収容室への挿入方向と交差する方向にずれて形成されているから、サブコネクタは、サブコネクタの収容室への挿入方向と交差する方向に大型化するとも思える。この点に鑑みて請求項１の発明では、指掛け部は、サブコネクタが収容室内に挿入された状態で、収容室同士を隔てる隔壁に対して収容室への挿入方向後方の位置に配される構成とした。隔壁の後方（収容室への挿入方向後方）の領域は、従来デッドスペースとなっていた。この領域内に指掛け部を配する構成としたから、サブコネクタをフレームに収容した状態においては、フレームをも含めたコネクタ全体が、収容室への挿入方向と交差する方向に大型化することを防止できる。
【００１３】
＜請求項２の発明＞
サブコネクタをフレームの収容室へ収容するときには、リブと案内溝との嵌合によって収容動作が安定的になされる。また、隔壁にリブを設けたことで補強効果も得られる。
【発明を実施するための最良の形態】
【００２２】
本発明に係るコネクタを分割コネクタに適用した一実施形態を、図１ないし図３０を参照して説明する。この分割コネクタは、タブ部１０を備えたバスバー１１を収容する雄ハウジング（本発明に係る相手側コネクタに該当）１２と、この雄ハウジング１２と嵌合すると共に、雌側端子金具１３を収容する複数のサブコネクタ（本発明に係るコネクタに該当）１４が挿入される雌フレーム１５とを備えてなる。また、雄ハウジング１２は、図示しない固定体に対して、この固定体に設けられたブラケット１６を介して取付けられるようになっている。なお、以下の説明においては、雄ハウジング１２と雌フレーム１５とが嵌合する方向をそれぞれ前方とし、上下方向については図１を基準とする。
【００２３】
（雄ハウジング）
雄ハウジング１２は合成樹脂製であって、図１に示すように、前方に開口するフード部４６と、フード部４６の後方に設けられたバスバー保持部４７とを備えてなる。図１６に示すように、バスバー保持部４７のうちフード部４６内に露出する壁面（フード部４６の奥壁）には、バスバー１１を保持するための複数本（図示４つ）のバスバー保持溝４８が幅方向（図１６における左右方向）に延びると共に上下方向に並んで形成されている。
【００２４】
図２１に示すように、バスバー１１は金属板材を所定形状に打抜き加工することにより形成されており、複数のタブ部１０と、このタブ部１０を連結する連結部４９と、連結部４９のうちタブ部１０と反対側に突設される固定部５０とを備えてなる。タブ部１０は、両側を切断されることで形成されるようになっている。
【００２５】
各バスバー１１は、バスバー保持溝４８内に連結部４９が収容されると共に、バスバー保持溝４８内に形成された固定孔５１内に固定部５０が圧入されることで、各バスバー保持溝４８内に保持されている。バスバー１１がバスバー保持溝４８に固定された状態で、タブ部１０はフード部４６内に突出した状態になっている。バスバー１１がバスバー保持溝４８に固定された状態では、各バスバー１１は、その厚み方向に並んで配されるようになっている。
【００２６】
図１８に示すように、フード部４６の天井壁の前端縁（図１８における右端部）のうち左右両端部（図１８における上下両端部）には、後方（図１８における左方）に切り欠かれた切欠部５２が形成されている。雌フレーム１５がフード部４６内に正規嵌合した状態では、後述する雌フレーム１５の天井壁に形成されたフレーム側指掛け部１７Ａが収容されるようになっている。この切欠部５２の後方への切り欠き寸法は、フレーム側指掛け部１７Ａの肉厚寸法と略等しく設定されている（図２参照）。図２に示すように、フード部４６の天井壁の外側面には、この切欠部５２から後方に向かって上り傾斜になるような指掛け斜面５３Ａが形成されており、雄ハウジング１２と雌フレーム１５とが正規嵌合した状態で、指掛け斜面５３Ａの前端縁からフレーム側指掛け部１７Ａの上端部が突出することで、雌フレーム１５のフレーム側指掛け部１７Ａに作業者が指を掛けやすくなっている。
【００２７】
また、フード部４６の底壁の前端縁のうち図１６における左右方向の略中央には、後方（図１８における左方）に切り欠かれた切欠部５２が形成されている。この切欠部５２の後方への切り欠き寸法は、後述する雌フレーム１５の底壁に形成されたフレーム側指掛け部１７Ｂの肉厚寸法と略等しく設定されている。図３に示すように、フード部４６の底壁の外側面には、この切欠部５２から後方に向かって下がり傾斜になるような指掛け斜面５３Ｂが形成されており、雄ハウジング１２と雌フレーム１５とが正規嵌合した状態で、指掛け斜面５３Ｂの前端縁からフレーム側指掛け部１７Ｂの下端部が突出することで、雌フレーム１５のフレーム側指掛け部１７Ｂに作業者が指を掛けやすくなっている。
【００２８】
なお、図１に示すように、雌フレーム１５が雄ハウジング１２と正規嵌合した状態では、雌フレーム１５の後端面と、雄ハウジング１２の前端面とは略面一になるように設定されている。また、図４に示すように、雌フレーム１５が雄ハウジング１２と正規嵌合した状態では、雌フレーム１５のフレーム側指掛け部１７Ａの上端部及びフレーム側指掛け部１７Ｂの下端部は、雄ハウジング１２の上面及び下面と、それぞれ略面一になるように設定されている。
【００２９】
図２１及び図２２に示すように、フード部４６の天井壁の内側面には、複数（本実施形態では６つ）の半嵌合検知リブ５４が、天井壁の後端部から、天井壁の前端縁よりもやや後方に下がった位置にまで前後方向に延びると共に下方に垂下して形成されている。この半嵌合検知リブ５４の前端は、前方に向かって下がり勾配に形成されることで、尖った形状になっている。図２３に示すように、サブコネクタ１４が雌フレーム１５に対して半嵌合状態にあると、雌フレーム１５のフレーム側ランス３０が復帰変形せず、フレーム側ランス３０が上方に撓み変形したままの状態になる。この状態で雌フレーム１５を雄ハウジング１２に嵌合しようとすると、フレーム側ランス３０の前端縁が、フード部４６の天井壁から垂下して形成された半嵌合検知リブ５４の前端縁に前方から当接することでサブコネクタ１４の挿入が規制される。これによりサブコネクタ１４の半嵌合を検知することができるようになっている。また、この半嵌合検知リブ５４によりフード部４６の天井壁が補強されるようになっている。
【００３０】
フード部４６の側壁のうち、図１６における左側壁５８の前端縁は、図１９に示すように、やや前方（図１９における右方）に出っ張って形成されており、ブラケット１６を後述するガイドレール５５に案内するためのブラケット案内部５６とされる。
【００３１】
フード部４６の図１６における左右両側壁５７，５８の内側面のうち上下方向の略中央には、前後方向に延びるこじり防止リブ２３が形成されている。このこじり防止リブ２３は、雌フレーム１５に形成されたガイド溝２２内に嵌まり込むことにより、雌フレーム１５が上下方向に傾いた姿勢でフード部４６内に進入して雌フレーム１５の前端がタブ部１０と当接することを防止するようになっており、こじり防止リブ２３の前端縁はガイド溝２２に嵌り込みやすいように傾斜して形成されている。このこじり防止リブ２３のうち、図１６における右側壁５７に形成されたものは、右側壁５７の前端縁、すなわち雌フレーム１５との嵌合面から後方に向かって形成されており、一方、図２２に示すように、左側壁５８に形成されたものは、左側壁５８の前端縁からやや後方（図２２における右方）に引っ込んだ位置であって、右側壁５７のこじり防止リブ２３の前端位置と略整合した位置から後方に向かって形成されている。これにより、雌フレーム１５をフード部４６内に嵌め入れる際に、雌フレーム１５の前端のうち左右いずれかが先行して幅方向に傾いた姿勢でフード部４６内に進入し、雌フレーム１５の前端がタブ部１０と当接することを防止するようになっている。
【００３２】
図１９及び図２０に示すように、フード部４６の左右両側壁５７，５８の外側面のうち上下方向の略中央には、左右両側壁５７，５８の後端縁から前方に向かって前後方向の略中央にまで延びる２つのスリット５９が所定の間隔を空けて上下に並んで形成されている。この２つのスリット５９により上下に挟まれた領域は、左右両側壁５７，５８の肉厚方向外方に撓み変形可能となっており、雌フレーム１５のロック受け部１８と係合して雌フレーム１５を抜け止め状態に保持するロック部１９とされる。右側壁５７に形成されたロック部１９は、基端部６０から自由端６１に向かって後方（図２０における右方）に延設されている。また、左側壁５８に形成されたロック部１９は、基端部６０から自由端６１に向かって後方（図１９における左方）に延設されており、後述するブラケット１６のガイドレール５５への挿入方向に沿って形成されている。ロック部１９のうち左右両側壁５７，５８の肉厚方向外方の空間（図５におけるロック部１９の上方の空間）は、ロック部１９の撓み領域６２となっている。ロック部１９の内側面には、内方に突出するロック突起６３が形成されている。ロック突起６３の前面（図５における右方）には傾斜面２０Ｄが形成されており、雌フレーム１５のロック受け部１８の上に乗り上がりやすくなっている。また、ロック突起６３の後面（図５における左方）は突出端側に向かうにつれて後方に僅かに傾斜した係止面２１Ｄとされる。
【００３３】
図２２に示すように、ロック部１９の内側面には、上述したこじり防止リブ２３が延びており、ロック部１９の補強も兼ねている。こじり防止リブ２３は、ロック突部６３の上下方向の略中央を前後方向に交差するようになっている。
【００３４】
フード部４６の左側壁５８の外側面には、図１９に示すように、ロック部１９の上下両側に、前後方向に延びると共に、ブラケット１６が進入可能な１対のガイドレール５５が、左側壁５８の肉厚方向外方に突設されている。このガイドレール５５は、左側壁５８の前端寄りの位置から後方に向かって延びており、ロック部１９の後端縁からやや前方の位置まで形成されている。図１６に示すように、ガイドレール５５は前方から見て断面が略Ｌ字状をなしており、左側壁５８の外側面と、ガイドレール５５のうち左側壁５８と対向する領域との間にガイドレール５５が前方から挿入されるようになっている。ガイドレール５５の奥壁にブラケット１６の先端が前方から当接することで、ブラケット１６の前止まりが図られるようになっている（図６参照）。
【００３５】
図１９に示すように、フード部４６の左側壁５８の外側面のうち、ロック部１９の前方（図１９における右方）であって、上下に並ぶ一対のガイドレール５５部の間の領域には、後述するブラケット１６の係止部４４と係合することでブラケット１６と雄ハウジング１２とを固定する係止受け部４５が、左側壁５８の肉厚方向外方に突設されている（図１６参照）。図５に示すように、係止受け部４５の前面（図５における右方）は、ブラケット１６が乗り上がりやすいように傾斜面２０Ｅが形成されており、係止受け部４５の後面は、左側壁４２の外側面に対して切り立って形成されて係止面２１Ｅとされる。この係止受け部４５の係止面２１Ｅが、ブラケット１６の係止部４４の孔縁と前方から当接することで、ブラケット１６の抜け止めが図られるようになっている。
【００３６】
図１６に示すように、ガイドレール５５の、左側壁５８の外側面からの高さ寸法は、ロック部１９及び係止受け部４５の、左側壁５８の外側面からの高さ寸法よりも大きく設定されているから、ガイドレール５５により保護されて、ロック部１９及び係止受け部４５が異物と衝突することを防止可能となっている。
【００３７】
図６に示すように、ブラケット１６の前後方向の長さ寸法は、ブラケット１６がガイドレール５５内に進入して、ブラケット１６の係止部４４と雄ハウジング１２の係止受け部４５とが係合した状態において、ロック部１９の撓み領域６２内に進入するように設定されており、このブラケット１６により、雌フレーム１５がロック部１９と共に二重係止されるようになっている。
【００３８】
（ブラケット）
図６に示すように、ブラケット１６は金属板状をなしており、コネクタを取付けるための図示しない固定体に設けられている。ブラケット１６には板面を貫通する係止部４４が形成されており、後述する雄ハウジング１２の係止受け部４５と係合することで、雄ハウジング１２とブラケット１６とを抜け止め状態に保持可能となっている。
【００３９】
（雌フレーム）
雌フレーム１５は合成樹脂製であって、略ブロック状をなしている。図１０に示すように、雌フレーム１５にはサブコネクタ１４を後方から収容するための複数の収容室２４（図示６つ）が後方に開口すると共に幅方向（図１０における左右方向）に並んで形成されている。この収容室２４は、後述する雌側端子金具１３のランス４０の撓み方向に並んで形成されている。各収容室２４は上下方向（図１０における上下方向）に細長い形状をなしており、隣り合う収容室２４同士は隔壁２５で仕切られている。図１０における各収容室２４の左側壁には、内方に突出すると共に雌フレーム１５の後端縁から前方に延びると共に上下に並んで複数（図示３つ）のリブ２６が形成されており、サブコネクタ１４に形成された案内溝２７と嵌合することでサブコネクタ１４を収容室２４内に案内するようになっている。また、図１０における各収容室の右側壁には、内方に突出する補強突部７０が形成されており、隔壁２５の補強が図られている。補強突部７０の後端縁は、後述するリテーナ３９の前端縁と前方から当接することで、サブコネクタ１４の前止まりが図られるようになっている。各収容室２４の前壁にはタブ部１０が挿入される複数の雄タブ挿通孔２８Ａ（図示４つ）が上下方向に並んで形成されており、図８に示すように雄タブ挿通孔２８Ａの孔縁にはタブ部１０を案内するためのテーパ面２９Ａが形成されている。リブ２６は、上下方向について、雄タブ挿通孔２８Ａの間の位置に配されるようになっている。
【００４０】
図１に示すように、各収容室２４の天井壁には前方に片持ち状に延設されたハウジングロック部３０が形成されている。雌フレーム１５のうちハウジングロック部３０の前方に位置する部分は切り欠かれており、雄ハウジング１２から雌フレーム１５を離間させる際に、ハウジングロック部３０を解除方向に強制的に撓ませるための解除治具７１が挿入可能になっている。
【００４１】
ハウジングロック部３０は、前端側が自由端となっていて、撓み変形可能なアーム部３１と、アーム部３１の前端よりやや引っ込んだ位置の下面から収容室２４内に突出する係止突起３２とからなる。係止突起３２は、サブコネクタ１４が収容室２４内の正規位置に挿入された状態で、後述するサブコネクタ１４の係止突起受け部（本実施形態に係る受け部に該当）３３と係止することでサブコネクタ１４の抜け止めがなされるようになっている。係止突起３２の後面はサブコネクタ１４の係止突起受け部３３の上に乗り上がりやすいように傾斜面２０Ｂが形成されており、係止突起３２の前面は、下方に向かうにつれて前方に僅かに傾斜する係止面２１Ｂとされる。アーム部３１の前端面には、ハウジングロック部３０を強制的に撓み変形させるための解除治具７１の先端が嵌り込むための解除用凹部３４が設けられている（図２９及び図３０参照）。
【００４２】
雌フレーム１５の上壁の後端縁のうち図８における左右両端部には、上方に突出するフレーム側指掛け部１７Ａが形成されている。また、雌フレーム１５の下壁の後端縁のうち図８における左右方向の中央付近には、下方に垂下するフレーム側指掛け部１７Ｂが形成されている。作業者は、このフレーム側指掛け部１７Ａ，１７Ｂに指を掛けて雌フレーム１５の離脱作業を行うことで、雄ハウジング１２から雌フレーム１５を離脱させる作業を容易に行えるようになっている。
【００４３】
図８における雌フレーム１５の左右両側壁のうち上下方向の中央付近には、左右方向外方に突出するロック受け部１８が形成されており、後述する雄ハウジング１２のロック部１９と係合可能になっている。図５に示すように、ロック受け部１８の前面にはロック部１９が乗り上がりやすくするための傾斜面２０Ａが形成されており、ロック受け部１８の後面は、突出端側に向けて後方に僅かに傾く係止面２１Ａとされる。図７に示すように、ロック受け部１８の上下方向の中央付近には前後方向に延びるガイド溝２２が形成されている。このガイド溝２２が後述する雄ハウジング１２のこじり防止リブ２３と嵌合することで、雌フレーム１５が雄ハウジング１２に収容される際に雌フレーム１５が上下方向に傾いた姿勢で進入することを防止可能となっており、雌フレーム１５の前端がタブ部１０をこじることを防止できるようになっている。雌フレーム１５を雄ハウジング１２のフード部４６内に嵌合させると、嵌合動作の途中で、雌フレーム１５のロック受け部１８の傾斜面２０Ａが、雄ハウジング１２のロック受け部の傾斜面２０Ｄと前方から摺接し、この摺接動作に伴って、ロック部１９が撓み領域６２内に突出して撓み変形する。更に嵌合が進んで雌フレーム１５が正規挿入されると、ロック部１９のロック突起６３が雌フレーム１５のロック受け部１８を乗り越えて復帰変形し、ロック突起６３の係止面２１Ｄが、雌フレーム１５のロック受け部１８の係止面２１Ａと当接することで、雌フレーム１５の抜け止めが図られている。
【００４４】
（サブコネクタ）
図１１ないし図１４に示すように、サブコネクタ１４は合成樹脂製であって、幅方向（図１１における左右方向）に扁平な形状をなしている。図１４に示すように、サブコネクタ１４には雌側端子金具１３を収容するための複数（本実施形態では４つ）のキャビティ３５が前後方向（図１４における左右方向）に延びると共に上下方向（図１４における上下方向）に並んで形成されている。キャビティ３５内には電線３６の端末に配設された雌側端子金具１３が収容されている。雌側端子金具１３は電線３６にかしめ付けられるバレル部３７と、バレル部３７の前方に形成されると共にタブ部１０が挿入されることでバスバー１１との電気的接続を図る接続筒部（本発明に係る筒部に該当）３８とからなる。接続筒部３８の内部には、接続筒部３８の底壁の前端縁から延設されると共に内方に折り返されて形成された弾性接触片８６が、側方から見て略山形に形成されている。接続筒部３８の底壁には後述するランス４０が係止するためのランス孔４１が形成されている。また、雌側端子金具１３が正規挿入された状態で、接続筒部３８の後端縁８５（本発明に係る被係止部に該当）に後述するリテーナ３９が二重係止するようになっている。図１１に示すように、各キャビティ３５の前壁にはタブ部１０が挿入される雄タブ挿通孔２８Ｂが形成されており、雄タブ挿通孔２８Ｂの孔縁にはタブ部１０を案内するためのテーパ面２９Ｂが形成されている。
【００４５】
キャビティ３５の底壁には、前方へ片持ち状に延出されると共に、雌側端子金具１３と弾性的に係止可能なランス４０が形成されており、このランス４０が、上述した雌側端子金具１３のランス孔４１に弾性的に係止することで雌側端子金具１３の後方への抜け止めが図られるようになっている。ランス４０は上下方向に弾性的に撓むようになっており、ランス４０と係止することで、雌側端子金具１３は、上下方向の変位も規制されるようになっている。また、キャビティ３５は、このランス４０の撓み方向に並設されている。
【００４６】
サブコネクタ１４の上壁のうち、サブコネクタ１４の雌フレーム１５への挿入方向前端部（図１３における右端）には、上方に突出する係止突起受け部３３が形成されている。係止突起３２の前面はハウジングロック部３０の係止部４４が乗り上がりやすいように傾斜面２０Ｃが形成されており、係止突起３２の後面は、上方に向かうにつれて後方に僅かに傾斜する係止面２１Ｃとされる。サブコネクタ１４を雌ハウジングの収容室２４内に後方から挿入すると、その挿入途中でサブコネクタ１４の係止突起受け部３３の傾斜面２０Ｃが、ハウジングロック部３０の係止突起３２の傾斜面２０Ｂと後方から摺接し、この摺接動作に伴って、ハウジングロック部３０が上方に撓み変形した状態になる。その後、サブコネクタ１４が正規挿入されると、ハウジングロック部３０の係止突起３２がサブコネクタ１４の係止突起受け部３３を乗り越えて復帰変形し、ハウジングロック部３０の係止突起３２の係止面２１Ｂが、サブコネクタ１４の係止突起受け部３３の係止面２１Ｃと後方から当接することで、サブコネクタ１４の後方への抜け止めが図られている（図１参照）。
【００４７】
サブコネクタ１４の上壁のうち、サブコネクタ１４の雌フレーム１５への挿入方向後端部（図１３における左端）には、上方に突出するコネクタ側指掛け部７２（本発明に係る指掛け部に該当）が形成されている。作業者は、このコネクタ側指掛け部７２に指を掛けてサブコネクタ１４の離脱作業を行うことで、雌フレーム１５からサブコネクタ１４を離脱させる作業を容易に行うことができるようになっている。このコネクタ側指掛け部７２は、係止突起受け部３３に対して、サブコネクタ１４の雌フレーム１５への挿入方向と交差する方向（図１１における右方）にずれた位置に形成されている。
【００４８】
図４に示すように、サブコネクタ１４が雌フレーム１５の収容室２４内の正規位置に収容された状態では、コネクタ側指掛け部７２は、各収容室２４を仕切る隔壁２５に対して、サブコネクタ１４の雌フレーム１５への挿入方向後方に位置するようになっている。
【００４９】
サブコネクタ１４のうち図１１及び図１２における右側壁には、図１に示すように、前後方向に延びると共に上下に並んで複数（図示３つ）の案内溝２７が形成されており、上述した雌フレーム１５のリブ２６と嵌合可能になっている。この案内溝２７は、上下に並ぶキャビティ３５間の余肉部分を内方に切り欠くことで形成されている。これにより、雌フレーム１５にリブ２６を設けた場合でも、分割コネクタ全体として、幅方向に大型化することを防止できるようになっている。
【００５０】
さて、サブコネクタ１４のうち、図１１及び図１２における左側壁４２には、各キャビティ３５に連通する深さを有する複数（図示４つ）のリテーナ収容孔７３が、各キャビティ３５に対応する位置に形成されている（図２６参照）。また、左側壁４２には、各キャビティ３５に連通する深さを有する複数（図示４つ）の本係止突起収容孔７４が、各キャビティ３５の底壁に対応する位置に形成されている。これらリテーナ収容孔７３及び本係止突起収容孔７４のうち後部側の開口縁部は、上下方向に整合した位置に配されている。一方、本係止突起収容孔７４のうち前部側の開口縁部は、リテーナ収容孔７３のうち前部側の開口縁部よりも前方の位置に形成されている。リテーナ収容孔７３及び本係止突起収容孔７４のうち後部側の開口縁部には、上下方向に延びるヒンジ７５を介して、リテーナ３９が、サブコネクタ１４と一体に形成されている。これにより、リテーナ３９を別体に形成する場合に比べて部品点数を削減できる。このリテーナ３９は、サブコネクタ１４に対して、雌側端子金具１３を挿通可能な仮係止位置と、雌側端子金具１３と係合して雌側端子金具１３の抜け止めをする本係止位置との間でヒンジ７５を支点として、ランス４０の撓み方向と交差する方向に回動可能になっている。
【００５１】
図２４に示すように、リテーナ収容孔７３及び本係止突起収容孔７４のうち前部側の開口縁部は、サブコネクタ１４の左側壁４２に肉厚方向外方に向かうにつれて後方に傾斜する被係止面７６が形成されており、後述する本係止突起７７及び係止突部７８と係止することで、リテーナ３９を仮係止位置及び本係止位置に保持可能になっている。
【００５２】
リテーナ３９は、略矩形状をなす板状の基板部７９と、この基板部７９の内面のうちリテーナ収容孔７３と対応する位置から内方に突設されて雌側端子金具１３と係合する複数（図示４つ）の係止突部７８と、基板部７９の内面のうち本係止突起収容孔７４に対応する位置から内方に突設されてなり本係止突起収容孔７４の孔縁部と係合する本係止突起７７（図示４つ）とを備えてなる。
【００５３】
基板部７９の前端縁は、係止突部７８及び本係止突起７７よりも前方に突出して形成されており、この前端縁のうち上下両端寄り（図１１の上下方向）の位置には、リテーナ３９が本係止位置に保持された状態で、リテーナ３９の本係止を解除するための図示しない治具が挿入される凹部８０が形成されている。
【００５４】
本係止突起７７は、上方から見て略矩形状をなす板状であり、後面側には、リテーナ３９がリテーナ収容孔７３内に収容された状態において雌側端子金具１３を挿入したときに、雌側端子金具１３の前端部と摺接して押圧されることで、リテーナ３９がリテーナ収容孔７３の外方に押し出される押出し傾斜面８１が形成されている。本係止突起７７は、リテーナ３９が本係止位置に保持された状態で、キャビティ３５の底壁の一部を構成するようになっている。本係止突起７７の前端縁には、リテーナ３９が本係止位置に保持された状態で、サブコネクタ１４の左側壁４２の肉厚方向外方に向かうにつれて後方に傾斜する本係止面８２Ａが形成されている。
【００５５】
係止突部７８は、上方から見て、ヒンジ７５を中心とし、且つ、リテーナ収容孔７３のうちヒンジ７５が係止された側の開口縁部から、ヒンジ７５と対向する側の開口縁部までの長さ寸法が略半径の寸法となっている略扇形をなしている。係止突部７８の内面のうち後側には、リテーナ３９がリテーナ収容孔７３内に収容された状態において雌側端子金具１３を挿入したときに、雌側端子金具１３の前端部と摺接して押圧されることで、リテーナ３９がリテーナ収容孔７３の外方に押し出される押出し傾斜面８１が形成されている。この押出し傾斜面８１は、サブコネクタ１４の左側壁４２の肉厚方向外方（図２４における上方）に向かうにつれて、後方（図２４における右方）に傾斜するようになっている。係止突部７８の前端縁のうち内端部寄りの位置には、リテーナ３９が仮係止位置に保持された状態で、サブコネクタ１４の左側壁４２の肉厚方向外方に向かうにつれて後方に傾斜する仮係止面８３が形成されている。この仮係止面８３の外方には、前方に突出する仮係止突起８４が形成されている。この仮係止突起８４は、リテーナ３９が仮係止位置に保持された状態で、サブコネクタ１４の左側壁４２の外面に外方から当接するようになっている。係止突部７８の前端縁のうち外端部寄りの位置には、リテーナ３９が本係止位置に保持された状態で、サブコネクタ１４の左側壁４２の肉厚方向外方に向かうにつれて後方に傾斜する本係止面８２Ｂが形成されている。
【００５６】
図２４に示すように、リテーナ３９が仮係止位置に保持された状態では、リテーナ収容孔７３の被係止面７６と、リテーナ３９の仮係止面８３とが係止する。被係止面７６はサブコネクタ１４の左側壁４２に肉厚方向外方に向かうにつれて後方に傾斜して形成されており、一方、リテーナの仮係止面８３はサブコネクタ１４の左側壁４２の肉厚方向外方に向かうにつれて後方に傾斜して形成されているから、被係止面７６と仮係止面８３とが係止することで、リテーナ３９は、サブコネクタ１４の左側壁４２の肉厚方向外方に変位することが規制されるようになっている。また、リテーナ３９の仮係止突起８４が、リテーナ収容孔７３の開口縁部に外方から当接することで、リテーナ３９がリテーナ収容孔７３内に押し込まれて、本係止位置に誤って変位することが規制されるようになっている。図２７に示すように、リテーナ３９が仮係止位置に保持された状態では、雌側端子金具１３はキャビティ３５内に後方から挿入可能になっている。
【００５７】
仮係止位置に保持されたリテーナ３９をリテーナ収容孔７３内方に押し込むと、仮係止突起８４がリテーナ収容孔７３の開口縁部を乗り越えることで仮係止突起８４の係合が解除され、仮係止位置から本係止位置へとリテーナ３９が変位可能となる。図２５に示すように、リテーナ３９が本係止位置に保持された状態では、リテーナ収容孔７３の被係止面７６と、係止突部７８の本係止面８２Ｂとが係止する。被係止面７６はサブコネクタ１４の左側壁４２に肉厚方向外方に向かうにつれて後方に傾斜して形成されており、一方、係止突部７８の本係止面８２Ｂはサブコネクタ１４の左側壁４２の肉厚方向外方に向かうにつれて後方に傾斜して形成されているから、被係止面７６と本係止面８２Ｂとが係止することで、リテーナ３９は、サブコネクタ１４の左側壁４２の肉厚方向外方に変位することが規制されるようになっている。
【００５８】
さらに、本係止突起７７は、本係止突起収容孔７４内に収容されるようになっており、リテーナ３９が本係止位置に保持された状態では、本係止突起収容孔７４の被係止面７６と、本係止突起７７の本係止面８２Ａとが係止する。被係止面７６はサブコネクタ１４の左側壁４２に肉厚方向外方に向かうにつれて後方に傾斜して形成されており、一方、本係止突起７７の本係止面８２Ａはサブコネクタ１４の左側壁４２の肉厚方向外方に向かうにつれて後方に傾斜して形成されているから、被係止面７６と本係止面８２Ａとが係止することで、リテーナ３９は、サブコネクタ１４の左側壁４２の肉厚方向外方に変位することが規制されるようになっている。
【００５９】
このように、リテーナ３９が本係止位置に保持された状態では、係止突部７８の本係止面８２Ｂとリテーナ収容孔７３の被係止面７６とが係止し、且つ、本係止突起７７の本係止面８２Ａと本係止突起収容孔７４の被係止面７６とが係止するようになっているから、リテーナ３９がサブコネクタ１４の左側壁４２の肉厚方向外方に変位することを確実に規制することができる。
【００６０】
また、リテーナ３９が本係止位置に保持された状態では、リテーナ３９の基板部７９の前端縁は、リテーナ収容孔７３及び本係止突起収容孔７４の開口縁部に外方から当接することで、リテーナ３９がリテーナ収容孔７３の内方に変位することが規制されるようになっている。
【００６１】
リテーナ３９が本係止位置に保持された状態では、上方から見たときに、各係止突部７８は、各段のキャビティ３５内において、略同じ位置に配されるようになっている。
【００６２】
図２８に示すように、リテーナ３９が本係止位置に保持された状態では、リテーナの係止突部７８は雌側端子金具１３の接続筒部３８の後端縁８５に、サブコネクタ１４の左側壁４２の肉厚方向外方（ランス４０の撓み方向と交差する方向）から組み付けられるようになっており、これにより、サブコネクタ１４は、ランス４０の撓み方向と交差する方向への変位がリテーナ３９により規制されるようになっている。また、リテーナ３９は、雌側端子金具１３の接続筒部３８の後端縁８５に後方から当接するようになっており、これにより、雌側端子金具１３をランス４０と共に二重係止するようになっている。
【００６３】
リテーナ３９が本係止位置に保持された状態では、上方から見たときに、各係止突部７８は、各段のキャビティ３５内において、前後方向に略同じ位置に配されるようになっている。また、本係止突起７７は、キャビティ３５の底壁の一部を構成するようになっており、雌側端子金具１３の上下方向の変位を規制するようになっている。
【００６４】
続いて、本実施形態の作用、効果について説明する。まず、雄ハウジング１２のバスバー保持溝４８内に、バスバー１１を前方から圧入する。すると、バスバー１１の固定部５０がバスバー保持溝４８の固定孔５１内に圧入されることでバスバー１１がバスバー保持溝４８内に固定されると共に、バスバー１１のタブ部１０がフード部４６内に突出した状態で配される。この状態で、バスバー１１は、その板厚方向に並んで配されるようになっている。
【００６５】
次に、リテーナ３９を仮係止位置に保持した状態で、サブコネクタ１４の各キャビティ３５内に、電線３６の端末に配された雌側端子金具１３を後方から挿入する（図２７参照）。すると、雌側端子金具１３はランス４０により抜け止め保持される。このランス１３は上下方向から雌側端子金具１３に係合するようになっているから、雌側端子金具１３は上下方向の変位も規制されるようになっている。その後、リテーナ３９を本係止位置に保持すると、リテーナ３５の係止突部７８が雌側端子金具１３の接続筒部３８の後端縁８５に後方から当接することにより、ランス４０と共に雌側端子金具１３を二重係止する。また、リテーナ３５の係止突部７８は、ランス４０の撓み方向と交差する方向から接続筒部３８の後端縁８５に組み付けられるから、雌側端子金具１３が、ランス４０の撓み方向と交差する方向に変位することも規制できる（図１４及び図２８参照）。
【００６６】
続いて、雌フレーム１５の各収容室２４内に、雌側端子金具１３が収容されたサブコネクタ１４を後方から挿入する。すると、その挿入途中でサブコネクタ１４の係止突起受け部３３の傾斜面２０Ｃが、ハウジングロック部３０の係止突起３２の傾斜面２０Ｂと後方から摺接し、この摺接動作に伴って、ハウジングロック部３０が上方に撓み変形する。その後、サブコネクタ１４が正規挿入されると、ハウジングロック部３０の係止突起３２がサブコネクタ１４の係止突起受け部３３を乗り越えて復帰変形し、ハウジングロック部３０の係止突起３２の係止面２１Ｂが、サブコネクタ１４の係止突起受け部３３の係止面２１Ｃと後方から当接することで、サブコネクタ１４の後方への抜け止めが図られる。雌ハウジングの収容室２４内にサブコネクタ１４が収容された状態では、雌ハウジングの後面からサブコネクタ１４の後端部が露出し、サブコネクタ１４の後面から電線３６が引き出されるようになっている（図１５参照）。
【００６７】
図４に示すように、サブコネクタ１４が雌フレーム１５の収容室２４内に収容された状態では、サブコネクタ１４のコネクタ側指掛け部７２は、隔壁２５の後方に位置するようになっている。
【００６８】
また、収容室２４の隔壁２５の内面に形成されたリブ２６がサブコネクタ１４の案内溝２７に嵌り込むことにより、サブコネクタ１４が上下方向に傾いた姿勢で収容室２４内に挿入されることを防止できる。
【００６９】
続いて、雄ハウジング１２のフード部４６内に、サブコネクタ１４が収容された雌フレーム１５を嵌合させる。まず、雄ハウジング１２のフード部４６に形成されたこじり防止リブ２３と、雌フレーム１５に形成されたガイド溝２２とを嵌合させ、雌フレーム１５をフード部４６内に挿入する。これにより、雌フレーム１５が上下方向に傾いた姿勢でフード部４６内に進入することを防止できる。また、こじり防止リブ２３は、フード部４６の左右両側壁５７，５８の略左右対称な位置から後方に向かって延設されているから、雌フレーム１５の前端のうち左右いずれから先行して幅方向に傾いた姿勢でフード部４６内に進入することを防止できる。これにより、雌フレーム１５がフード部４６内に傾き姿勢で挿入されることにより、フード部４６内に突出するタブ部１０が雌フレーム１５の前端と衝突する、いわゆる「こじり」を防止できる。
【００７０】
フード部４６内に雌フレーム１５を挿入すると、嵌合動作の途中で、雌フレーム１５のロック受け部１８の傾斜面２０Ａが、雄ハウジング１２のロック突起６３の傾斜面２０Ｄと前方から摺接し、この摺接動作に伴って、ロック部１９が撓み領域６２内に突出してたわみ変形する。更に嵌合が進んで雌フレーム１５が正規挿入されると、ロック部１９のロック突起６３が雌フレーム１５のロック受け部１８を乗り越えて復帰変形し、ロック突起６３の係止面２１Ｄが、雌フレーム１５のロック受け部１８の係止面２１Ａと当接することで、雌フレーム１５の抜け止めが図られる。
【００７１】
雄ハウジング１２と雌フレーム１５とが正規嵌合すると、雄ハウジング１２のタブ部１０が、雌フレーム１５の雄タブ挿通孔２８Ａ及びサブコネクタ１４の雄タブ挿通孔２８Ｂに挿通され、雌側端子金具１３の接続筒部３８内に挿入されて、タブ部１０の厚み方向に対向する板面と、弾性接触片８６とが接触することで、バスバー１１と雌側端子金具１３とが電気的に接続される。これにより、所定の雌側端子金具１３同士がバスバー１１により短絡される。
【００７２】
また、図２３に示すように、サブコネクタ１４が雌フレーム１５に対して半嵌合状態にあると、雌フレーム１５のフレーム側ランス３０が復帰変形せず、フレーム側ランス３０が上方に撓み変形したままの状態になる。この状態で雌フレーム１５を雄ハウジング１２に嵌合しようとすると、フレーム側ランス３０の前端縁が、半嵌合検知リブ５４の前端縁に前方から当接することでサブコネクタ１４の挿入が規制される。これによりサブコネクタ１４の半嵌合を検知することができるようになっている。このとき、フレーム側ランス３０の前端縁は下方に向かうにつれて後方に傾斜する尖った形状をなしており、一方、半嵌合検知リブ５４の前端縁は、上方に向かうにつれて後方に傾斜する尖った形状をなしている。これにより、フレーム側ランス３０の前端縁と、半嵌合検知リブ５４の前端縁とが当接すると、互いに奥方へ嵌り合うように摺接するから、半嵌合状態を確実に検知することができる。
【００７３】
雄ハウジング１２と雌フレーム１５とが正規嵌合した状態において、雄ハウジング１２のガイドレール５５内にブラケット１６を挿入する。まず、雄ハウジング１２のブラケット案内部５６の外側面をブラケット１６の先端部に当接する。これにより、ブラケット１６がガイドレール５５部内に容易に案内されるようになる。ブラケット１６をブラケット案内部５６に当接させた状態で雄ハウジング１２を前方（図６における右方）に押し込むと、ブラケット１６の先端部が雄ハウジング１２の係止受け部４５の傾斜面２０Ｅに前方から当接する。するとブラケット１６が係止受け部４５に乗り上げて撓み変形する。更に雄ハウジング１２を押し込むと、ブラケット１６が係止受け部４５を乗り越えて復帰変形し、ブラケット１６の係止部４４内に雄ハウジング１２の係止受け部４５が嵌りこみ、係止受け部４５の係止面２１Ｅがブラケット１６の係止部４４の孔縁に前方から当接することで、ブラケット１６の抜け止めが図られる。この状態で、ブラケット１６の先端部は、雄ハウジング１２のロック部１９のうち、左側壁５８の肉厚方向外方の領域（撓み領域６２）内に進入するようになっており、ロック部１９が撓み領域６２内に撓み変形することを防止するようになっている。この結果、雄ハウジング１２と雌フレーム１５とが離脱する方向の力が加わった場合でも、ロック部１９が撓み変形してロック部１９のロック突起６３と、雌フレーム１５のロック受け部１８との係合が外れてしまうことを防止できるから、雄ハウジング１２と雌フレーム１５との係止力を向上させることができる。
【００７４】
さらに、ロック部１９は基端部６０から自由端６１に向かって後方（図６における左方）に延びて形成されており、この延出方向は、ブラケット１６のガイドレール５５内への挿入方向（図６における左方）に沿うようになっている。これにより、ブラケット１６はロック部１９の基端部側からガイドレール５５内に進入するから、ロック部１９の基端部が撓み変形するのをブラケット１６により確実に防止できる。この結果、雄ハウジング１２と雌フレーム１５との係止力を一層向上させることができる。
【００７５】
上記のようにして組み付けた分割コネクタを、例えばメンテナンスのために離脱させる際には、まず、図示しない治具により、ブラケット１６を外方に撓み変形させて係止受け部４５と係止部４４との係合を解除し、雄ハウジング１２を後方に引っ張ることで、雄ハウジング１２とブラケット１６とを離脱させる。
【００７６】
ついで、図示しない治具により、ロック部１９を撓み領域６２内に撓み変形させてロック部１９とロック受け部１８との係合を解除し、雄ハウジング１２と雌フレーム１５を互いに後方に引っ張って、雄ハウジング１２と雌フレーム１５とを離脱させる。このとき、雄ハウジング１２のフード部４６の天井壁及び底壁の前端縁には切欠部５２が形成されており、この切欠部５２内に、雌フレーム１５のフレーム側指掛け部１７Ａ，１７Ｂが収容されており、また、天井壁の上面及び底壁の底面には指掛け斜面５３Ａ，５３Ｂが形成されていることで、作業者は容易にフレーム側指掛け部１７Ａ，１７Ｂに指を掛けることができる。作業者は、例えば天井壁側のフレーム側指掛け部１７Ａに人差し指と中指を掛け、底壁側のフレーム側指掛け部１７Ｂに親指を掛けて雌フレーム１５を後方に引っ張ることができるから、雌フレーム１５に対して上下均等に力を加えやすくなっており、作業効率を向上させることができる。
【００７７】
続いて、図２９に示すように、雌フレーム１５のうちハウジングロック部３０の前方の領域から解除治具７１を収容室２４内に挿入し、解除治具の先端をハウジングロック部３０の解除用凹部３４に前方から突き当てる。このとき、解除用凹部３４が設けられていることにより、解除用治具がハウジングロック部３０の前端部に確実に当接するようになっている。図３０に示すように、この解除治具によりハウジングロック部３０を上方に撓み変形させて、ハウジングロック部３０の係止突起３２と、サブコネクタ１４の係止突起受け部３３との係合を解除し、サブコネクタ１４を後方に引き抜いて、雌フレーム１５からサブコネクタ１４を離脱させる。このとき作業者は、サブコネクタ１４のコネクタ側指掛け部７２に指を掛けてサブコネクタ１４を引き抜くことができるから、サブコネクタ１４に力を掛けやすくなっており、作業効率を向上させることができる。
【００７８】
続いて、サブコネクタ１４のリテーナ３９を、ヒンジ７５を支点にして外方に揺動させることで本係止位置から仮係止位置に変位させる。その後、ランス４０を図示しない治具により押圧することで、雌側端子金具１３との係合を解除し、雌側端子金具１３を後方に引き抜いてサブコネクタ１４と雌側端子金具１３とを離脱させる。
【００７９】
以上説明したように本実施形態によれば、リテーナ３９はサブコネクタ１４に対して、ランス４０の撓み方向と交差する方向から組み付けられる。そして、各キャビティ３５はランス４０の撓み方向に並んで配されているから、リテーナ３９がリテーナ収容孔７３内に収容された状態では、リテーナ３９は、ランス４０の撓み方向（キャビティ３５の並び方向）から見て、各段のキャビティ３５内の略同じ位置に配されることになる。この結果、各段のキャビティ３５に収容される雌側端子金具１３毎に、リテーナ３９と係止する部位の位置を揃えることができる。これにより、ランス４０の撓み方向に並設されたキャビティ３５を有するコネクタに対してヒンジ７５付きリテーナ３９を適用できる。
【００８０】
また、雌側端子金具１３は、ランス４０の撓み方向と交差する方向からリテーナ３９により二重係止される。これにより、雌側端子金具１３は、ランス４０の撓み方向の変位についてはランス４０により規制され、且つ、ランス４０の撓み方向と交差する方向の変位についてはリテーナ３９により規制される。このように２つの異なる方向の変位を規制することが可能となるから、雌側端子金具１３の姿勢を安定させることができる。
【００８１】
さらに、全ての雌側端子金具１３がキャビティ３５に挿入される前に、誤ってリテーナ３９がリテーナ収容孔７３内に収容された状態において、雌側端子金具１３をキャビティ３５内に挿入しようとすると、雌側端子金具１３がリテーナ３９と当接することになる。このとき、例えばリテーナ３９が雌側端子金具１３に押圧されても変位しない構成となっている場合には、雌側端子金具１３をキャビティ３５に無理に押し込もうとすると、雌側端子金具１３が損傷することが懸念される。
【００８２】
上記の点に鑑み、本実施形態では、リテーナ３９がリテーナ挿入孔内に収容された状態で雌側端子金具１３をキャビティ３５内に挿入すると、雌側端子金具１３が押出し傾斜面８１と摺接して押圧することで、リテーナ３９をキャビティ３５の外方に飛び出させることができる。これにより、雌側端子金具１３を挿入する際の力を逃がすことができるから、雌側端子金具１３が損傷することを防止できる。
【００８３】
また、タブ部１０は、両側が切断されて形成されており、この切断面には大きな力が加わっているので必ずしも平滑に形成されているわけではない。このため、上記の切断面と、弾性接触片８６とを接触させる構成とした場合には、タブ部１０と弾性接触片８６との接続安定性が低下することが懸念される。
【００８４】
上記の点に鑑み、本実施形態では、タブ部１０の厚み方向において対向する板面と、弾性接触片８６とが接触する構成とした。これにより、タブ部１０と弾性接触片８６との電気的接続を確実にすることができる。
【００８５】
また、本実施形態においては、サブコネクタ１４にはコネクタ側指掛け部７２が設けられている。これにより、作業者は、コネクタ側指掛け部７２に指を掛けた状態で雌フレーム１５からサブコネクタ１４を離脱させる作業を行うことができるから、サブコネクタ１４の離脱作業の効率を向上させることができる。
【００８６】
また、コネクタ側指掛け部７２は、雌フレーム１５のハウジングロック部３０と係合する受け部３３に対して、サブコネクタ１４の収容室２４への挿入方向と交差する方向にずれて形成されているから、受け部３３を成形する際に、サブコネクタ１４の収容室２４への挿入方向後方に型抜きすることができる。これにより、サブコネクタ１４を成形する際にスライド式の金型を用いなくてもよいので、製造コストを削減できる。
【００８７】
上述のコネクタ側指掛け部７２は、受け部３３に対して、サブコネクタ１４の収容室２４への挿入方向と交差する方向にずれて形成されているから、サブコネクタ１４は、サブコネクタ１４の収容室２４への挿入方向と交差する方向に大型化するとも思える。この点に鑑みて本実施形態では、コネクタ側指掛け部７２は、サブコネクタ１４が収容室２４内に挿入された状態で、収容室２４同士を隔てる隔壁２５に対してサブコネクタ１４の収容室２４への挿入方向後方の位置に配される構成とした。隔壁２５の、サブコネクタ１４の収容室２４への挿入方向後方の領域は、従来デッドスペースとなっていた。この領域内にコネクタ側指掛け部７２を配する構成としたから、サブコネクタ１４を雌フレーム１５に収容した状態においては、雌フレーム１５をも含めた分割コネクタ全体が、サブコネクタ１４の収容室２４への挿入方向と交差する方向に大型化することを防止できる。
【００８８】
＜他の実施形態＞
本発明は上記記述及び図面によって説明した実施形態に限定されるものではなく、例えば次のような実施形態も本発明の技術的範囲に含まれる。
【００８９】
（１）本実施形態においては、端子金具は接続筒部３８を備えた雌側端子金具１３としたが、これに限られず、筒部を備えた雄側端子金具でもよい。
【００９０】
（２）本実施形態においては、コネクタは、雌フレーム１５に収容される分割コネクタに適用される構成としたが、これに限られず、雌フレーム１５に収容されない構成としてもよく、一対のコネクタハウジングが嵌合する一般のコネクタに適用してもよい。
【００９１】
（３）本実施形態においては、コネクタ側指掛け部７２は、受け部３３に対して幅方向にずれた位置に形成する構成としたが、サブコネクタ１４を成形する際にスライド式の金型を用いる場合には、コネクタ側指掛け部７２を受け部３３の後方に形成してもよい。
【００９２】
（４）本実施形態においては、ヒンジ７５は、上下方向に延設される構成としたが、これに限られず、例えば前後方向に延設されてもよく、サブコネクタ１４の左右方向の側面に形成されていれば、任意の方向に延設することができる。
【図面の簡単な説明】
【００９３】
【図１】実施形態１に係るコネクタの縦断面図
【図２】コネクタの平面図
【図３】コネクタの底面図
【図４】コネクタにおいて電線及び雌側端子金具を省略した状態を示す背面図
【図５】コネクタの一部切欠底断面図
【図６】ブラケットにコネクタを組み付けた状態を示す一部切欠底断面図
【図７】雌フレームの側面図
【図８】雌フレームの正面図
【図９】雌フレームの平面図
【図１０】雌フレームの背面図
【図１１】リテーナがリテーナ収容孔内に収容されていない状態におけるサブコネクタを示す正面図
【図１２】リテーナがリテーナ収容孔内に収容された状態におけるサブコネクタを示す正面図
【図１３】サブコネクタのうちリテーナが形成された側面を示す側面図
【図１４】サブコネクタに雌側端子金具が挿入された状態において、リテーナが形成された側と反対側の側面を示す一部切欠側断面図
【図１５】雌フレームにサブコネクタが挿入された状態を示す平面図
【図１６】雄ハウジングの正面図
【図１７】雄ハウジングの背面図
【図１８】雄ハウジングの平面図
【図１９】雄ハウジングの左側面図
【図２０】雄ハウジングの右側面図
【図２１】雄ハウジングにおいて、ロック部及び半嵌合検知リブを示す要部破断した底面図
【図２２】図１６におけるＡ−Ａ線断面図
【図２３】サブコネクタの半嵌合状態において、半嵌合検知リブがフレーム側ランスに突き当たった状態を示す側断面図
【図２４】サブコネクタに対してリテーナが仮係止位置に保持された状態を示す平断面図
【図２５】サブコネクタに対してリテーナが本係止位置に保持された状態を示す平断面図
【図２６】サブコネクタに対してリテーナが本係止位置に保持された状態を示す側断面図
【図２７】サブコネクタに対してリテーナを仮係止位置に保持した状態で雌側端子金具をキャビティ内に挿入した状態を示す平断面図
【図２８】雌側端子金具がキャビティ内に挿入された状態で、リテーナがサブコネクタに対して本係止位置に保持された状態を示す平断面図
【図２９】解除用凹部８０に解除治具を突き当てた状態を示す側断面図
【図３０】解除用治具により、ハウジングロックと受け部との係止を解除した状態を示す側断面図
【符号の説明】
【００９４】
１０…タブ部
１１…バスバー
１２…雄ハウジング（相手側コネクタ）
１３…雌側端子金具
１４…サブコネクタ（コネクタ）
１５…雌フレーム
２４…収容室
２５…隔壁
３０…ハウジングロック部
３３…受け部
３５…キャビティ
３８…接続筒部（筒部）
３９…リテーナ
４０…ランス
７２…コネクタ側指掛け部（指掛け部）
７３…リテーナ収容孔
７５…ヒンジ
７８…係止突部
８１…押出し傾斜面（傾斜面）
８５…接続筒部の後端縁（被係止部）
８６…弾性接触片
【図１】
0004434147.tif 000002
【図２】
0004434147.tif 000003
【図３】
0004434147.tif 000004
【図４】
0004434147.tif 000005
【図５】
0004434147.tif 000006
【図６】
0004434147.tif 000007
【図７】
0004434147.tif 000008
【図８】
0004434147.tif 000009
【図９】
0004434147.tif 000010
【図１０】
0004434147.tif 000011
【図１１】
0004434147.tif 000012
【図１２】
0004434147.tif 000013
【図１３】
0004434147.tif 000014
【図１４】
0004434147.tif 000015
【図１５】
0004434147.tif 000016
【図１６】
0004434147.tif 000017
【図１７】
0004434147.tif 000018
【図１８】
0004434147.tif 000019
【図１９】
0004434147.tif 000020
【図２０】
0004434147.tif 000021
【図２１】
0004434147.tif 000022
【図２２】
0004434147.tif 000023
【図２３】
0004434147.tif 000024
【図２４】
0004434147.tif 000025
【図２５】
0004434147.tif 000026
【図２６】
0004434147.tif 000027
【図２７】
0004434147.tif 000028
【図２８】
0004434147.tif 000029
【図２９】
0004434147.tif 000030
【図３０】
0004434147.tif 000031